(57)【要約】【課題】コピーガード信号を記録側装置のメディア内に残さない。【解決手段】箱体１と、ＶＴＲ記録再生部３と、ＤＶＤ−Ｒ／ＲＷ記録再生部５と、ＶＴＲ側表示パネル／ＬＥＤ１１ａと、ＤＶＤ−Ｒ／ＲＷ側表示パネル／ＬＥＤ１１ｂと、外部入力インターフェイス部３１であって、ＴＶ放送などの選局を行うチューナ部３１ａと、他の機器からの外部信号を入力するための外部入力部３１ｂと、ミュート信号を入力するためのミュート信号入力部３１ｃとを有する外部入力インターフェイス部３１と、内部入力スイッチ３３と、外部出力スイッチ３５と、出力端子３７と、制御部４１と、を含んで構成される。情報をデジタル信号として記録可能なＤＶＤ−Ｒ／ＲＷ記録再生部５は、入力される信号中にコピーガード信号が含まれているか否かを検出するコピーガード信号検出部５ａが設けられ、コピーガード信号検出部５ａ検出処理結果として、コピーガード信号が検出された場合に、制御部４１はＤＶＤ−Ｒ／ＲＷ記録再生部５に対して記録動作を待機させるように指示する。【選択図】  図３
2004235750.tif 000002
【特許請求の範囲】
【請求項１】
情報の記録と再生とが可能な複数の情報記録再生部を有し、複数の前記情報記録再生部のうち少なくともいずれかに、記録対象信号中にコピーガード信号が含まれているか否かを検出するコピーガード信号検出部を有する情報記録再生部を内蔵する記録再生複合機であって、
複数の前記記録再生部間における記録再生処理を制御する制御部であって、第１の情報記録再生部から該第１の情報記録再生部とは異なる第２の情報記録再生部への情報のダビング起動時に、前記コピーガード信号検出部により前記コピーガード信号が検出されないと判断されるまでの期間中、前記第２の記録再生部による記録処理を待機させる指示を行う制御部を有する記録再生複合機。
【請求項２】
情報の記録と再生とが可能な複数の情報記録再生部を有し、複数の前記情報記録再生部のうち少なくともいずれかに、記録対象信号中にコピーガード信号が含まれているか否かを検出するコピーガード信号検出部を有する情報記録再生部を内蔵する記録再生複合機であって、
複数の前記記録再生部間における記録再生処理を制御する制御部であって、第１の情報記録再生部から該第１の情報記録再生部とは異なる第２の情報記録再生部への情報のダビング起動時に、前記第２の情報記録再生部に備えられた前記コピーガード検出部からコピーガード信号を検出した旨の信号を受けると、前記コピーガード信号検出部が前記コピーガード信号を検出しない状態になるまで前記第２の記録再生部による記録処理を待機させる指示を行う制御部を有する記録再生複合機。
【請求項３】
前記コピーガード信号検出部は、前記第１の記録再生部が再生信号の出力を開始した後、ある一定期間だけ前記コピーガード信号の検出を行うことを特徴とする請求項１又は２に記載の記録再生複合機。
【請求項４】
さらに、前記コピーガード信号が検出された場合に、その旨をユーザに報知するコピーガード信号検出報知部を備えることを特徴とする請求項１から３までのいずれか１項に記載の記録再生複合機。
【請求項５】
前記第２の記録再生部は、情報をデジタル信号として記録可能であることを特徴とする請求項１から４までのいずれか１項に記載の記録再生複合機。
【請求項６】
情報の記録と再生とが可能な複数の情報記録再生部を有し、記録する情報中にコピーガード信号が含まれているか否かを判断するコピーガード信号検出部を、複数の前記情報記録再生部のうち少なくともいずれか１つに内蔵する記録再生複合機であって、
外部からの信号を受け入れる外部入力端子と、
該外部入力端子を介して受け入れた信号を前記情報記録再生部のいずれに送るかを切り替える内部入力スイッチと、
複数の前記記録再生部間における記録再生処理を制御する制御部であって、第１の情報記録再生部から前記コピーガード信号検出部を備え前記第１の情報記録再生部とは異なる第２の情報記録再生部への情報のダビング処理前に、前記外部入力端子を介して外部から前記第２の情報記録再生部に入る信号中にコピーガード信号が含まれていると前記コピーガート検出部が判断した場合に、その後に、少なくとも前記コピーガード信号検出部からの信号によりコピーガード信号が含まれていない旨を確認するまでの間、前記外部入力端子を介して前記第２の情報記録再生部にコピーガード信号を含まない信号が前記外部入力端子から入力されるように前記内部入力スイッチを制御する制御部と
を有する記録再生複合機。
【請求項７】
情報の記録と再生とが可能な複数の情報記録再生部を有し、記録する情報中にコピーガード信号が含まれているか否かを判断するコピーガード信号検出部を、複数の前記情報記録再生部のうち少なくともいずれか１つに内蔵する記録再生複合機であって、
外部からの信号を受け入れる外部入力端子と、
該外部入力端子を介して受け入れた信号を前記情報記録再生部のいずれに送るかを切り替える内部入力スイッチと、
複数の前記記録再生部間における記録再生処理を制御する制御部であって、第１の情報記録再生部から前記コピーガード信号検出部を備え前記第１の情報記録再生部とは異なる第２の情報記録再生部への情報のダビング処理前に、前記コピーガード信号検出部からの信号によりコピーガード信号が含まれていない旨を確認するまでの間、前記外部入力端子を介して前記第２の情報記録再生部にコピーガード信号を含まない信号が前記外部入力端子から入力されるように前記内部入力スイッチを制御する制御部と
を有する記録再生複合機。
【請求項８】
前記外部入力端子から入力可能な信号は、チューナにより選局された信号又は外部入力信号のうち少なくとも一方と、ミュート信号と、を含み、
前記コピーガード信号を含まない信号として、前記内部入力スイッチにより前記ミュート信号が選択されることを特徴とする請求項６又は７に記載の記録再生複合機。
【請求項９】
さらに、前記ミュート信号が入力された場合に、その旨をユーザに報知する報知手段を有していることを特徴とする請求項８に記載の記録再生複合機。
【請求項１０】
前記制御部は、前記第２の情報記録再生部が前記コピーガード信号を含まない旨を検知した後に、前記第１の情報記録再生部からの再生信号を記録するように前記第２の情報記録再生部を制御することを特徴とする請求項６から９までのいずれか１項に記載の記録再生複合機。
【請求項１１】
情報の記録と再生とが可能な複数の情報記録再生部を有し、記録する情報中にコピーガード信号が含まれているか否かを判断するコピーガード信号検出部を、複数の前記情報記録再生部のうち少なくともいずれか１つに内蔵する記録再生複合機であって、
複数の前記記録再生部間における記録再生処理を制御する制御部であって、第１の情報記録再生部から前記コピーガード信号検出部を有し前記第１の情報記録再生部とは異なる第２の情報記録再生部への情報のダビング起動前に前記外部入力端子を介して前記外部から入力される信号中にコピーガード信号が含まれている旨の信号を前記第２の情報記録再生部から受けた場合に、前記外部入力端子を介して前記第２の情報記録再生部に対してコピーガード信号を含まない信号が入力されるように前記内部入力スイッチと前記外部入力端子とを制御する制御部とを有する記録再生複合機。
【発明の詳細な説明】
【０００１】
【発明の属する技術分野】
本発明は、映像信号や音声信号などを記録再生可能な複数の記録再生部を内蔵する記録再生複合機に関し、特に、デジタル情報のコピーガード信号の取り扱いに関する。
【０００２】
【従来の技術】
従来、記録再生機は、例えばテレビジョン（以下、「テレビ」と称する。）放送をＶＴＲ（Ｖｉｄｅｏ  ｔａｐｅ  ｒｅｃｏｒｄｅｒ）、ＶＣＲ（Ｖｉｄｅｏｃａｓｓｅｔｔｅ  ｒｅｃｏｒｄｅｒ）などに記録し、その後に記録されたテレビ放送の内容を再生する機能を有するものが多く開発されてきた。
【０００３】
最近、テレビ画面の高画質化と、情報記録技術の多様化・高度化に伴って、ＶＴＲ以外にＣＤやＤＶＤなどの異なる記憶媒体を用いた記録再生技術の開発も盛んになってきている。
【０００４】
それに伴い、ＶＴＲとＤＶＤ、ＤＶＤ−Ｖｉｄｅｏ、ＤＶＤ−Ｒとの２種類の異なるメディアを１つの機器により再生でき、かつ、上記ＤＶＤとＶＴＲとの間で、ＤＶＤの記録内容をＶＴＲにダビングできる、いわゆる複合機も開発されている。
【特許文献１】
特開平７−３１２０２０号公報
【０００５】
【発明が解決しようとする課題】
デジタル信号を記録すると、高品位な情報を劣化させることなく半永久的に保存することができる。そこで、著作権の保護を目的としてデジタル信号の複製（記録）を制限するためのコピーガード信号を実際の信号中に含めることが行われている。記録側がデジタル信号として記録するデジタル機器である場合には、このコピーガード信号を検出すると、デジタル信号の複製（記録）処理を行わないように設定されている。
【０００６】
ところで、再生側機器から録画側機器にダビング操作をする場合に、再生側機器が再生信号を出力するタイミングとほぼ同じタイミングで記録側機器における記録処理を開始させると、再生信号中にコピーガード信号が含まれている場合には記録開始の一定期間後に記録機器がコピーガード信号を検出することになるため、たとえ短時間ではあってもコピーガード信号を検出するまでの期間中コピーガード信号が記録側の媒体に記録されてしまい、この余分な信号が記録されたまま記録媒体中に残り、順次蓄積されていくという問題がある。記録可能な情報数が限定されている場合には、これらの不要記録信号が、実際に必要な情報の記録の妨げになることがある。また、再生情報の指定を行う場合にも、情報のアドレス指定の妨げになる場合も多い。
【０００７】
また、再生側機器から記録側機器にダビング操作を行う場合に、例えば、ＤＶＤ−Ｒ／ＤＶＤ−ＲＷビデオフォーマットの場合では、記録（録画など）開始までに最大で約１０秒間の時間が必要なため、再生側機器から記録側機器への情報のダビング時であって再生信号の先頭から録画するためには、再生側機器を再生させる以前に記録側機器を記録可能な状態にしておく必要がある。この場合には、記録側機器にはチューナ信号や外部信号（ＥＥ（Ｅｌｅｃｔｒｉｃ  ｔｏ  Ｅｌｅｃｔｒｉｃ）信号）などの外部信号が入力されるケースが多い。このＥＥ信号中にコピーガード信号が含まれていると、コピーガード信号を含む情報を記録させないようにする保護機能が働くため、上記ＤＶＤ−Ｒ／ＤＶＤ−ＲＷビデオフォーマットの記録媒体が挿入された記録側機器については、再生側機器からの再生信号を録画する準備が整った録画スタンバイ状態にいつまでたっても移行できないという問題がある。
本発明の目的は、上記ダビングの際に問題となるコピーガード信号に関する処理技術を提供することである。
【０００８】
【課題を解決するための手段】
本発明の一観点によれば、情報の記録と再生とが可能な複数の情報記録再生部を有し、複数の前記情報記録再生部のうち少なくともいずれかに、記録対象信号中にコピーガード信号が含まれているか否かを検出するコピーガード信号検出部を有する情報記録再生部を内蔵する記録再生複合機であって、複数の前記記録再生部間における記録再生処理を制御する制御部であって、第１の情報記録再生部から該第１の情報記録再生部とは異なる第２の情報記録再生部への情報のダビング起動時に、前記コピーガード信号検出部により前記コピーガード信号が検出されないと判断されるまでの期間中、前記第２の記録再生部による記録処理を待機させる指示を行う制御部を有する記録再生複合機が提供される。
【０００９】
上記記録再生複合機によれば、ダビング起動時に、コピーガード信号を記録側に記録してしまうのを防止することができる。コピーガード信号を検出するか否かに係わらず、一律に上記操作を行うことにより、処理が簡単になる。
【００１０】
本発明の他の観点によれば、情報の記録と再生とが可能な複数の情報記録再生部を有し、複数の前記情報記録再生部のうち少なくともいずれかに、記録対象信号中にコピーガード信号が含まれているか否かを検出するコピーガード信号検出部を有する情報記録再生部を内蔵する記録再生複合機であって、複数の前記記録再生部間における記録再生処理を制御する制御部であって、第１の情報記録再生部から該第１の情報記録再生部とは異なる第２の情報記録再生部への情報のダビング起動時に、前記第２の情報記録再生部に備えられた前記コピーガード検出部からコピーガード信号を検出した旨の信号を受けると、前記コピーガード信号検出部が前記コピーガード信号を検出しない状態になるまで前記第２の記録再生部による記録処理を待機させる指示を行う制御部を有する記録再生複合機が提供される。
【００１１】
上記記録再生複合機によれば、ダビング起動時に、コピーガード信号を検出した場合に、これを検出しなくなるまで記録処理を待機させるため、不要なコピーガード信号を記録することがなくなる。
【００１２】
前記コピーガード信号検出部は、前記第１の記録再生部が再生信号の出力を開始した後、ある一定期間だけ前記コピーガード信号の検出を行うことが好ましい。コピーガード信号は、再生の初期に出力させるのを利用して、ダビング処理をできるだけ高速にすることができる。
【００１３】
本発明の他の観点によれば、情報の記録と再生とが可能な複数の情報記録再生部を有し、記録する情報中にコピーガード信号が含まれているか否かを判断するコピーガード信号検出部を、複数の前記情報記録再生部のうち少なくともいずれか１つに内蔵する記録再生複合機であって、外部からの信号を受け入れる外部入力端子と、該外部入力端子を介して受け入れた信号を前記情報記録再生部のいずれに送るかを切り替える内部入力スイッチと、複数の前記記録再生部間における記録再生処理を制御する制御部であって、第１の情報記録再生部から前記コピーガード信号検出部を備え前記第１の情報記録再生部とは異なる第２の情報記録再生部への情報のダビング処理前に、前記外部入力端子を介して外部から前記第２の情報記録再生部に入る信号中にコピーガード信号が含まれていると前記コピーガート検出部が判断した場合に、その後に、少なくとも前記コピーガード信号検出部からの信号によりコピーガード信号が含まれていない旨を確認するまでの間、前記外部入力端子を介して前記第２の情報記録再生部にコピーガード信号を含まない信号が前記外部入力端子から入力されるように前記内部入力スイッチを制御する制御部とを有する記録再生複合機が提供される。
【００１４】
上記記録再生複合機によれば、外部からのコピーガード信号を検出したことにより、実際には再生側がコピーガードされていない場合であってもダビングができなくなるのを防止することができる。
【００１５】
本発明のさらに他の観点によれば、情報の記録と再生とが可能な複数の情報記録再生部を有し、記録する情報中にコピーガード信号が含まれているか否かを判断するコピーガード信号検出部を、複数の前記情報記録再生部のうち少なくともいずれか１つに内蔵する記録再生複合機であって、外部からの信号を受け入れる外部入力端子と、該外部入力端子を介して受け入れた信号を前記情報記録再生部のいずれに送るかを切り替える内部入力スイッチと、複数の前記記録再生部間における記録再生処理を制御する制御部であって、第１の情報記録再生部から前記コピーガード信号検出部を備え前記第１の情報記録再生部とは異なる第２の情報記録再生部への情報のダビング処理前に、前記コピーガード信号検出部からの信号によりコピーガード信号が含まれていない旨を確認するまでの間、前記外部入力端子を介して前記第２の情報記録再生部にコピーガード信号を含まない信号が前記外部入力端子から入力されるように前記内部入力スイッチを制御する制御部とを有する記録再生複合機が提供される。
【００１６】
上記記録再生複合機によれば、ダビング処理前に、前記コピーガード信号検出部からの信号によりコピーガード信号が含まれていない旨を確認するまでの間、前記外部入力端子を介して前記第２の情報記録再生部にコピーガード信号を含まない信号が前記外部入力端子から入力されるようにすることで、実際には再生側がコピーガードされていない場合であってもダビングができなくなるのを防止することができる。
【００１７】
前記外部入力端子から入力可能な信号は、チューナにより選局された信号又は外部入力信号のうち少なくとも一方と、ミュート信号と、を含み、前記コピーガード信号を含まない信号として、前記内部入力スイッチにより前記ミュート信号が選択されるのが好ましい。このような信号は、記録再生複合機において得やすい信号であるため、余分なハードウェアの追加を必要としない。
【００１８】
【発明の実施の形態】
以下に、本発明の実施の形態による記録再生複合機について図面を参照して説明する。図１は、本発明の実施の形態による記録再生複合機の正面図である。図１に示すように、本実施の形態による記録再生複合機Ａは、種々の機能を内蔵する箱体１と、ＶＴＲ記録再生部３と、ＤＶＤ−Ｒ／ＲＷ記録再生部５と、各種スイッチ部７と、ＶＴＲ側表示パネル／ＬＥＤ１１ａと、ＤＶＤ−Ｒ／ＲＷ側表示パネル／ＬＥＤ１１ｂと、リモコン受光部１２と、を有している。さらに、図２に示すように、記録再生複合機Ａとは別に、リモートコントロール装置１５を別途備えているのが一般的である。図２（Ａ）、（Ｂ）に示すリモードコントロールスイッチ１５は、ＶＴＲとＤＶＤとのリモコン切り替えスイッチ１５ａと、ＴＶチャネル選局スイッチ部１５ｂと、ダビング方向キー１５ｃ（ビデオ→ＤＶＤ１５ｃ−１、ＤＶＤ→ビデオ１５ｃ−２）と、ダビング開始キー１５ｄと、を有している。リモートコントロール装置１５のみでも、ＶＴＲ記録再生部３と、ＤＶＤ−Ｒ／ＲＷ記録再生部５との記録再生操作が可能である。
【００１９】
尚、記録再生複合機としては、ＶＴＲ部とＤＶＤ−ＲＷ部とを記録再生部として備えた機器を例として説明するが、その他の組み合わせについても、複数の記録再生器を備えている機器も本実施の形態による記録再生複合機に含まれる。もちろん、記録又は再生のみが可能な機能（例えば、ＤＶＤ−ＲＯＭドライブなど）を含んでいても良い。また、記録再生複合機は、一般的なディスプレイ（表示部）、例えばＣＲＴや液晶画面などによるディスプレイと一体化されていても良い。
【００２０】
図３は、本実施の形態による記録再生複合機の主要構成例を示す機能ブロック図である。図３に示すように、本実施の形態による記録再生複合機は、箱体１と、ＶＴＲ記録再生部３と、ＤＶＤ−Ｒ／ＲＷ記録再生部５と、ＶＴＲ側表示パネル／ＬＥＤ１１ａと、ＤＶＤ−Ｒ／ＲＷ側表示パネル／ＬＥＤ１１ｂと、Ｒ／Ｃ受光部１２と、外部入力インターフェイス部３１であって、ＴＶ放送などに関する選局を行い内部に取り入れるためのチューナ部３１ａと、他の機器からの信号を内部に入力するための外部入力部３１ｂと、ミュート信号を内部に入力するためのミュート信号入力部３１ｃとを有する外部入力インターフェイス部３１と、内部入力スイッチ３３と、外部出力スイッチ３５と、出力端子３７と、制御部４１と、を含んで構成されている。実際には、後述のように、各種構成要素間に信号配線が設けられている。記録再生複合機と別体又は一体に出力再生部４５が設けられている。出力再生部４５は、一般に、映像を表示する表示部（ディスプレイ）４５ａと、音声を出力するスピーカ部４５ｂとを含んで構成されている。
【００２１】
前述のように、情報をデジタル信号として記録可能なＤＶＤ−Ｒ／ＲＷ記録再生部５には、これに入力される信号中にコピーガード信号が含まれているか否かを検出するコピーガード信号検出部５ａが設けられている。
【００２２】
上記記録再生複合機の動作について例として図３を参照して説明する。通常、外部のテレビジョン放送の内容を記録する場合には、ユーザは、まず使用する記録メディアを選択する。ＶＴＲテープに放送内容を記録する場合には、ＶＴＲ記録再生部３を用いる。ＤＶＤ−Ｒメディア又はＤＶＤ−ＲＷメディアに放送内容を記録する場合には、ＤＶＤ−Ｒ／ＲＷ記録再生部５を用いる。ＴＶの放送内容（チャネル）のいずれを入力するかは、外部入力インターフェイス部３１に設けられているチューナ部３１ａにより選局される。外部機器からの出力を入力させる場合には、外部入力部３１ｂにより外部入力（ＡＵＸ）を選択する。ミュート信号入力部３１ｃについては第２の実施の形態において説明する。
【００２３】
内蔵されたＶＴＲ記録再生部３とＤＶＤ−Ｒ／ＲＷ記録再生部５とのいずれに対してこれらの入力信号を出力するかは、内部入力スイッチ３３により切り替える。内部入力スイッチ３３により切り替えられた外部からの入力信号は、ＶＴＲ記録再生部３又はＤＶＤ−Ｒ／ＲＷ記録再生部５に送られる。
【００２４】
ＶＴＲテープに記録された情報内容を再生する場合には、ＶＴＲ記録再生部３を利用し、ＤＶＤ−Ｒメディア又はＤＶＤ−ＲＷメディアに記憶された情報内容を再生する場合には、ＤＶＤ−Ｒ／ＲＷ記録再生部５を利用する。再生された信号は、出力端子３７を介して出力再生部４５に送られ、出力再生部４５に対して出力される。映像は表示部４５ａにより、音声はスピーカ部４５ｂにより再生される。
【００２５】
ＶＴＲテープに記録された情報内容をＤＶＤ−Ｒメディア又はＤＶＤ−ＲＷメディアにダビングする場合には、まず、ＤＶＤ−Ｒメディア又はＤＶＤ−ＲＷメディアの内容を確認し、ダビングしても良いメディアであるか否かを確認する。ＤＶＤ−Ｒメディア又はＤＶＤ−ＲＷメディアを確認した後に、ユーザは、例えばリモコン装置（図２（Ａ）、（Ｂ））に設けられたダビング方向キー１５ｃをＶＴＲ→ＤＶＤの方向（１５ｃ−１）にして入力する。ダビング方向キー１５ｃがＶＴＲ←ＤＶＤの方向（１５ｃ−２）で入力され、ダビング開始キー１５ｄが押されたことをＲ／Ｃ受光部１２を介して制御部４１が検出すると（Ｌ１１、ダビング起動開始）、例えばＤＶＤ−Ｒ／ＲＷ記録再生部５に設けられたコピーガード信号検出部５ａは、ＶＴＲ記録再生部３からの再生信号（Ｌ１２）中にコピーガード信号が含まれているか否かを検出する。検出処理の結果として、コピーガード信号が検出された場合には、制御部４１にその旨が伝えられ（Ｌ１３）、制御部４１は、ＤＶＤ−Ｒ／ＲＷ記録再生部５に対して記録動作を待機させるように指示する（Ｌ１４）。
【００２６】
再生信号の出力を開始した後に一定期間、例えばコピーガード信号検出部５ａの検出能力により決められた１秒間が経過すると、再生信号中にはコピーガード信号が含まれていないと判断して良いため、このコピーガード信号の有無を判断できる一定期間中にコピーガード信号が検出されない場合には、制御部４１がＤＶＤ−Ｒ／ＲＷ記録再生部５に対して記録動作を開始するように指示する（Ｌ１５）。この場合には、コピーガード信号は再生信号中に元々含まれていなかったため、当然に記録媒体（ＤＶＤ−Ｒなど）に記録されることはない。
【００２７】
一方、再生信号の出力を開始した後に、一定期間、例えば１秒間経過するまでに、再生信号中にはコピーガード信号が検出された場合には、制御部４１がＤＶＤ−Ｒ／ＲＷ記録再生部５に対して記録動作をしないように指示する。この場合には、ＤＶＤ−Ｒ／ＲＷ記録再生部５は記録動作を行わないため、コピーガード信号が再生信号中に含まれていても、そのコピーガード信号（不要な情報）が記録媒体（ＤＶＤ−Ｒ／ＲＷなど）に記録されることはない。この場合に、さらに一定期間が経過し、コピーガード信号がもはや検出されないと確認されるまで記録処理を待機させ、確認後に記録処理を行うようにすれば良い。
【００２８】
また、例えば、ＶＴＲ側表示パネル／ＬＥＤ１１ａ又はＤＶＤ−Ｒ／ＲＷ側表示パネル／ＬＥＤ１１ｂにおいて、ダビング処理が不可である旨を表示させるように指示（報知）する（Ｌ１６、Ｌ１７）ことにより、ユーザは、この表示によりダビングが不可であることを確認することができる。
【００２９】
以上のように、本実施の形態による記録再生複合機によれば、ダビング起動時に、再生側の機器が再生信号の出力を開始した後、コピーガード信号が含まれているか否かを判断するのに十分な期間である一定期間を経過するまで再生信号の記録処理を待機させ、一定期間経過後に再生信号の記録処理を開始するように制御する。これにより、記録処理開始時点においては、コピーガード信号が再生信号中に含まれているか否かの判断は既に終了しているため、再生信号を記録してもコピーガード信号が記録側のメディアに記録されて残ることがないという利点がある。
尚、ダビングが開始された後は、ＤＶＤ−Ｒ／ＲＷ記録再生機５に記録されている情報が、信号線路Ｌ１０−１〜５を介して出力再生部４５に出力されるようにしても良い。
【００３０】
次に、本発明の第２の実施の形態による再生記録複合機について図面を参照しつつ説明する。本実施の形態による再生記録複合機の基本的な構成は、第１の実施の形態による再生記録複合機と同様である。そこで、本実施の形態による再生記録複合機についても図１〜図２と、図３に対応する図４と、を参照して説明する。
【００３１】
図４に示すように、本実施の形態による再生記録複合機においては、外部入力インターフェイス部３１に、ＴＶ放送などに関する選局を行い内部に取り入れるためのチューナ部３１ａ及び他の機器からの信号を内部に入力するための外部入力部３１ｂに加えて、ミュート信号を内部に入力するためのミュート信号入力部３１ｃが設けられている。
【００３２】
上記再生記録複合機の動作について説明する。
ユーザがダビング処理を開始する前に、外部入力インターフェイス部３１よりＤＶＤ−Ｒ／ＲＷ記録再生部５に、ＥＥ信号（ＴＶ放送をチューナ部３１ａで選局した信号又は他の機器から外部入力部３１ｂを介して入力される信号）が入力されており、その信号中にコピーガード信号が含まれている場合には、コピーガード信号が含まれているか否かをコピーガード信号検出部５ａが検出する。この場合には、ユーザがダビング処理開始キー（図２）を押しても、実際にダビングしたい再生側からの再生信号にコピーガード信号が含まれているか否かと関係なく、ダビング処理を行うことができなくなる。
【００３３】
このように、外部からの信号中にコピーガード信号が含まれている場合に、コピーガード信号検出部５ａがその旨を制御部４１に知らせ（Ｌ２１）、制御部４１がコピーガード信号検出部５ａからコピーガード信号を含む旨の信号を受け取り、次いで、制御部４１は、外部入力インターフェイス部３１に対して、ミュート信号入力部３１ｃの選択を指示する（Ｌ２２）。ミュート信号とは、例えば、接地（ＧＮＤ）信号であり、表示部（表示画面）４５ａはミュート信号を受けると黒画面を表示する。尚、このミュート信号はこの装置において利用しやすい信号の例示であり、コピーガード信号を含まない信号であればミュート信号以外の信号でも良い。
【００３４】
ミュート信号入力部３１ｃが選択されると、ＤＶＤ−Ｒ／ＲＷ記録再生部５に設けられたコピー信号検出部５ａは一定期間後にコピーガード信号を検出していない旨を必ず検出する（例えばダビング開始動作から１〜２秒後）。これにより不要な信号がカットされ、この検出結果は制御部４１に伝えられ（Ｌ２１）、制御部４１は、記録側機器がコピーガード信号を受信していない旨の情報を得ることにより、ＤＶＤ−Ｒ／ＲＷ記録再生部５に対して録画準備の開始を指示することができるようになる（Ｌ２３）。
【００３５】
ＥＥ信号中に、一定期間内にコピーガード信号が含まれていない旨をコピーガード信号検出部５ａが検出した場合にも、制御部４１は、ＤＶＤ−Ｒ／ＲＷ記録再生部５に対して録画準備の開始を指示することができる。この場合には、ミュート信号をＤＶＤ−Ｒ／ＲＷ記録再生部５に対して出力する操作を行わなくても良い。また、ミュート信号を入力させることにより、記録したい信号の頭の部分から記録を行うことができるという利点もある。
【００３６】
尚、ユーザによるダビング開始処理において、ＶＴＲ記録再生装置３から出力された信号を、信号線路Ｌ２０〜２５を介して出力再生部４５に出力しても良い。これにより、ユーザは、記録される信号を確認することができるという利点がある。
【００３７】
以上説明したように、再生側機器から記録側機器に情報をダビングするダビング起動前に記録側機器にＥＥ信号が入力されていた場合に、このＥＥ信号中にコピーガード信号が含まれていた場合にも、再生側の信号にコピーガード信号が含まれていない場合には、再生側機器内の情報を記録側機器内のメディアにダビングすることができる。
【００３８】
尚、ＥＥ信号中にコピーガード信号が含まれているか否かを判断する動作を省略し、全てのダビング処理に際してＥＥ信号をミュート信号に切り替える動作を行っても良い。また、ミュート信号に代えて信号を送らないように信号をカットすることも可能である。
【００３９】
また、ユーザは、上記の操作が内部で行われていることを実際には認識していない場合もあるが、黒画面が表示された場合にそれを故障であると判断しないように、例えばＶＴＲ側表示パネル／ＬＥＤ１１ａ又はＤＶＤ−Ｒ／ＲＷ側表示パネル／ＬＥＤ１１ｂに、ミュート画面を表示中である旨を報知する表示を行っておくのが好ましい。
【００４０】
以上、本実施の形態に沿って記録再生複合機について説明したが、本発明はこれらの例に限定されるものではなく、種々の変形が可能であるのは言うまでもない。媒体としては、ＣＤ−Ｒ（Ｗ）、ＤＶＤ−Ｒ／ＲＷ、ＤＶＤ−ＲＡＭ、ＭＤ、不揮発性メモリカード、ハードディスク（カード）などの種々の記録再生可能な情報記録媒体に適用可能である。媒体の種類などにより仕様が変更されたとしても、本発明の技術思想の範囲内において本発明の思想が適用可能であることは言うまでもない。
【００４１】
【発明の効果】
本発明による記録再生複合機によれば、ダビング起動時に、再生側の機器が再生信号の出力を開始した後に、コピーガード信号検出可能な期間である一定期間経過するまで待機させ、一定期間経過後に再生信号の記録処理を開始するように制御する。これにより、記録処理開始時点においては、コピーガード信号が再生信号中に含まれているか否かの判断が既に終了しているため、コピーガード信号が記録側にメディアに残ることがないという利点がある。
【００４２】
また、再生側機器から記録側機器に情報をダビングするダビング起動前に、記録側機器にＥＥ信号が入力されていた場合に、このＥＥ信号中にコピーガード信号が含まれていた場合にも、通常の動作と同様に再生側機器内の情報を記録側機器内のメディアにダビングすることができる。
【図面の簡単な説明】
【図１】本発明の実施の形態による記録再生複合機の正面図である。
【図２】本発明の実施の形態による記録再生複合機を制御するリモードコントロール装置の正面図である。
【図３】本発明の第１の実施の形態による記録再生複合機の構成例を示す機能ブロック図である。
【図４】本発明の第２の実施の形態による記録再生複合機の構成例を示す機能ブロック図である。
【符号の説明】
Ａ…記録再生複合機、１…箱体、３…ＶＴＲ記録再生部、５…ＤＶＤ−Ｒ／ＲＷ記録再生部、７…各種スイッチ部、１１ａ…ＶＴＲ側表示パネル／ＬＥＤ、１１ｂ…ＤＶＤ−Ｒ／ＲＷ側表示パネル／ＬＥＤ、１２…リモコン受光部、１５…リモートコントロール装置、３１…外部入力インターフェイス部、３１ａ…チューナ入力部、３１ｂ…外部入力部、３１ｃ…ミュート信号入力部、３３…内部入力スイッチ、３５…外部出力スイッチ、３７…出力端子、４１…制御部、４５…出力再生部、４５ａ…表示部、４５ｂ…スピーカ部。
【図１】
2004235750.tif 000003
【図２】
2004235750.tif 000004
【図３】
2004235750.tif 000005
【図４】
2004235750.tif 000006